(57)【要約】      （修正有）【課題】通路となる扉は、パイプ柵の一部がゲート枠の面内で伸縮したり摺動降下して、跨ぎ越し通路スペースを確保する扉構造の提供。【解決手段】摺動扉枠１３と柵パイプ２１の摺動態様を示したものである。上部水平枠１０の中央部１／３程度が上部水平枠１０から分離して摺動扉枠１３となることを示し、これが左右各２本の柵パイプ２１に沿って摺動したり中央２本のパイプは３段伸縮させて押し下げ、ゲートの中央部は床上高２５ｃｍの高さまで下がり、跨ぐことが容易な通路スペースを形成する。【選択図】図１
2008142484.tif 000002
【特許請求の範囲】
【請求項１】
移動も設置取付けも容易で簡素な構造でありながら、幼児以外の大人や子供のゲート通り抜けの利便性を考慮し、通路扉の錠前操作や開閉はワンタッチ操作での上下摺動方式を採用してコンパクト化し、ゲート枠体の対向壁への係止も圧接板による突っ張り摩擦力を応用して安定化を図ったパイプ縦柵構造の、幼児用安全ゲート。
【請求項２】
安全ゲートを構成する枠体の上部水平枠の中央部分を通路用の摺動扉枠として、それに付設した摺動ガイド管を貫通する４本の柵パイプの誘導により、幼児以外の者なら片手のワンタッチ操作で扉枠を摺動降下させることで、床上高２５ｃｍの跨ぎ越し通路を安全ゲート中央部に形成させる構造とした、請求項１の幼児用安全ゲート。
【請求項３】
安全ゲート枠体の左右に位置する支柱縦枠には、伸縮可能余長を有する２本のアジャストボルトを、それぞれ板付ナットと支柱縦枠を貫通させて上下に配し、そのボルトの先端に自在金具でノンスリップゴムシートを張った突っ張り圧接板を付設して、対向壁や柱にアジャストボルトの伸び出しによる圧接板の突っ張り摩擦力で枠体を安定係止出来るようにした、請求項１の幼児用安全ゲート。
【請求項４】
上部水平枠の中央部を摺動扉枠として、そのロック施錠・開錠は摺動扉枠体の内部に出没突起操作プレートと重錘ロック弁からなる連携操作機能を組み込み、重錘ロック弁の上下位置状態に出没突起操作プレートの操作可否のロック機能を持たせ、スプリングの付勢で摺動扉枠を上部水平枠で固定している両側出没突起の出没状態によって、摺動扉枠のロックも降下摺動も可能とする構造とした、請求項１の幼児用安全ゲート。
【発明の詳細な説明】
【技術分野】
【０００１】本発明は歩行器に乗り始める頃から４歳近くまでの幼児に、室内において思わぬ怪我をさせないため、幼児の保護と成人の通り抜け利便性を考慮した、幼児用安全ゲートに関するものである。
【背景技術】
【０００２】  歩行器に乗り始める幼児を養育中の家庭では、幼児に怪我をさせないために、目が離せない育児期間がある。特に２〜３歳の幼児は階段・厨房・浴室に大変興味を示し、目を離した隙に思わぬ事故を招いてしまうことが多い。このような事態を防ぐ保護柵として開発され市販されているものも多いが、保護柵の枠体の安定を確保するため、設置場所・方法が、特定されていたり、３〜４歳の幼児になれば、ゲート柵をよじ登ってしまいそうな構造だったりで、通路扉体の構造やその錠前構造に複雑なものが多い実態がある。【０００３】  従来、この種の先行技術では、例えば特開平１１−２４１５５１号や特開２００３−３３９４８６号公報に記載されたもののようにゲート枠体幅を可変にしたり、横枠に伸縮自在性をもたせて設置場所を特徴づけたものや、特開２００４−５７６８５号公報に記載されたもののように、手を使わず足を使って扉のロック解除・開放を可能にしたものがあるが、いずれも通路扉が枠体に対して回動開閉の構造であることと、枠体を対向壁間に係止・着脱する方式が、突っ張り螺子部材を調節する一点圧接係止方式で、枠体設置の係止安定に疑問が感じられるばかりでなく、通路扉が枠体に対して回動する開閉スペースが確保できない場所では不向きでもある。
【発明の開示】
【発明が解決しようとする課題】
【０００４】  （イ）パイプ柵を利用する簡素な構造にし、安全ゲート枠体の厚み幅さえ確保出来ればどこでも移動設置が可能となるよう、ゲート枠体の対向壁への係止方法や通路扉の開閉構造をコンパクト化することで、幼児以外の大人・子供のゲート通過にも利便性を高めることである。
（ロ）通路となる扉は枠体に対して回動開閉する構造でなく、パイプ柵構造の中央の一部が安全ゲート枠の面内で伸縮したり摺動降下して、跨ぎ越し通路スペースを確保する扉構造とすることである。
（ハ）対向壁間あるいは対向柱間に枠体を係止する方式を、対向壁体に係止補助具を付けたり、螺子止めすることなく簡潔な方法でしっかり係止出来る構造にすることである。
（ニ）安全ゲート枠の面内に通路を形成するための摺動扉枠のロック施錠・開錠構造は、幼児以外の大人・子供なら容易にワンタッチ操作によって行える構造にすることが課題である。
【課題を解決するための手段】
【０００５】  （イ）木製の枠体に金属パイプの縦柵を配する構造とすることで、安全ゲートの枠体の厚みを軽減し、移動も設置取付けも容易でありながら、幼児以外の大人や子供のゲート通り抜けの利便性を考慮し、通路扉の錠前操作や開閉はワンタッチ操作での上下摺動方式を採用してコンパクト化し、ゲート枠体の対向壁への係止も圧接板による突っ張り摩擦力を応用して安定化を図ったパイプ縦柵構造とすることである。（請求項１）
（ロ）ゲート枠体に対して通路扉が回動開閉する構造では、設置場所にも制約が生ずるので、安全ゲートを構成する枠体の上部水平枠の中央部分を通路用の摺動扉枠として、それに付設した摺動ガイド管を貫通する４本の柵パイプの誘導により、幼児以外の者なら片手のワンタッチ操作で扉枠を摺動降下させることで、床上高２５ｃｍの跨ぎ越し通路を安全ゲート中央部に形成させる構造とすることである。（請求項２）
（ハ）安全ゲート枠体を通路扉の開閉状態に関係なく、対向壁間にしっかり係止させるため、安全ゲートの枠体の左右に位置する支柱縦枠には、伸縮可能余長を有する２本のアジャストボルトを、それぞれ板付ナットと支柱縦枠を貫通させて上下に配し、そのボルトの先端に自在金具でノンスリップゴムシートを張った突っ張り圧接板を付設して、対向壁や柱にアジャストボルトの伸び出しによる圧接板の突っ張り摩擦力で枠体を安定係止出来るようにすることである。（請求項３）
（ニ）摺動扉枠のロック施錠・開錠は幼児の悪戯では開錠不可能でも、幼児以外の者なら片手のワンタッチ操作で可能となるよう、上部水平枠の中央部を摺動扉枠として、そのロック施錠・開錠は摺動扉枠体の内部に出没突起操作プレートと重錘ロック弁からなる連携操作機能を組み込み、重錘ロック弁の上下位置状態に出没突起操作プレートの操作可否のロック機能を持たせ、スプリングの付勢で摺動扉枠を上部水平枠で固定している両側出没突起の出没状態によって、摺動扉枠のロックも降下摺動も可能とすることである。（請求項４）
【発明の効果】
【０００６】  本発明の幼児用安全ゲートは、上記の課題解決手段を実現することにより幼児が歩行器に乗り始める頃の育児期にある家庭内の危険個所を、幼児以外の大人や子供が不便を感ずることなく簡便に隔離可能となり、パイプ縦柵のゲートであるため、柵越しに幼児の様子も監視出来ることもあり、安心して多忙な母親の労働力軽減にもつなげることが出来る。
【発明を実施するための最良の形態】
【０００７】  以下、本発明の実施の形態を図面に基づき説明する。まず部材の材質面において、本発明品は利活用期間が幼児期の３年程度という限定性から、取扱いや保管処理が簡便である必要があり、パイプ縦柵構造部分など強度を若干要する部分以外は、木製または合成樹脂材料の射出成形材を利用しても十分である。構造体重量も３．５Ｋｇ以下が望ましく、縦柵となるパイプ、特に中央部の２本の３段伸縮パイプも含め、上下摺動の円滑性からもステンレスパイプである事が望ましい。【０００８】  図１は本発明の幼児用安全ゲートの一実施形態を示した斜視図である。図１に示すように幼児用安全ゲートは、室内で幼児を危険個所から隔離したいゾーンの出入口に設置することになるが、この安全ゲートの大きな特色として通り抜け通路を形成する扉が枠体に対して回動開閉する構造でないため、ゲート枠体の厚み幅さえ確保できるところなら、対向壁体の状況を問わずどこにでも簡易に移動・設置できるだけでなく、ゲート通過方法に関しても多様化を図ることが出来る。【０００９】設置に当たっては枠体両側の支柱縦枠１２の外側に付設する突っ張り圧接板１４の伸び出しで対向壁間隔を調整するが、その伸縮調整は各々２本のアジャストボルト１６の調節取手１７を廻して、ノンスリップゴムシート１５を張り付けた突っ張り圧接板１４を対向壁に密着させ、その摩擦力を利用して堅固に係止することが可能となる。【００１０】  ４歳以下の幼児の運動能力では、パイプ縦柵に足をかけてよじ登ること、ゲートを乗り越えることの困難さを勘案して、ゲート高は６２ｃｍと標準設定する。６２ｃｍとすることで、大人によってはゲートの摺動扉を敢えて開閉せずに容易に跨ぎ越すことも可能であり、跨げない大人や子供は中央部の摺動扉枠１３を押し下げ床上高２５ｃｍの通路スペースを作って、そこを跨ぐことで通過方法にも多様化が図られる。【００１１】  柵パイプ２１は強度的にもΦ１０ｍｍ程度の金属管を使い１０ｃｍ間隔の６本で構成させることを標準とする。跨ぐ通路を確保するため６本のうち中央の２本のパイプは３段伸縮構造とし、摺動扉枠１３を押し下げる際には床上２５ｃｍ高まで縮んで摺動扉枠１３の降下に追従させ、残りの４本は摺動扉枠の下半分枠体３７に付設している摺動ガイド管２４の中を貫通させ摺動扉枠１３が上下する際、圧接係止によって支柱枠１２にかかる反力を支える役割も持たせる。【００１２】  安全ゲートの枠体は木製または合成樹脂材料製でもよいが、設置係止の際の安定のためにはゲート枠体に剛性を持たせる必要があるため、横水平枠と支柱縦枠が接合する四隅には、Ｌ字形補強金具２７や、ひかえ補強金具２５等を付設し強化する。【００１３】  図２は摺動扉枠１３と柵パイプ２１の摺動態様を示したものである。上部水平枠１０の中央部１／３程度が上部水平枠１０から分離して摺動扉枠１３となることを示し、これが左右各２本の柵パイプ２１に沿って摺動したり中央２本のパイプは３段伸縮させて押し下げ、ゲートの中央部は床上高２５ｃｍの高さまで下がり、跨ぐことが容易な通路スペースを形成する。【００１４】  この摺動扉枠１３は通路形成に当たって、水平で捩れることなく上下摺動することが必要であるため、３段伸縮する中央��２本の柵パイプ以外の４本の柵パイプ２１には径Φ１２ｍｍ，長さ９０ｍｍの摺動ガイド管２４を摺動扉枠の下半分枠体３７にガイド管固定リング４１で上下から挟み付けて付設し、それを貫通させることで上下摺動を誘導させ、枠体の捩れを防ぐ役割を持たせる。【００１５】  摺動扉枠１３の中央内部には、出没突起操作構造が組み込まれており、その操作部分となる出没突起操作プレート２２と重垂ロック弁２３の一部だけが中央下部に露出している形状になる。摺動扉枠１３を押し下げない時は、出没突起２６が上部水平枠体に噛み込んで一体連結した形となり上部水平枠１０となっている。【００１６】  図３は摺動扉枠１３と２本の３段伸縮柵パイプ２０の伸縮態様を示したものである。金属パイプ柵６本の内、中央部の２本は摺動扉枠１３の降下によって通路スペースを形成するため、３段に伸縮可能とし、最下端まで押し下げた時は床上高２５ｃｍとなって通路スペースを確保し容易に跨げるようにする。【００１７】  ３段伸縮柵パイプ２０は径Φ１０ｍｍ，Φ１３ｍｍ，Φ１６ｍｍ、各々の長さ２３０ｍｍ，の３本のステンレスパイプをラップ５０ｍｍで重層連結となるよう、パイプ内部では３本をパイプ連結鎖３２で連結し、摺動扉枠１３の上下移動に対してΦ１３ｍｍの中間に位置することになるパイプも所定高に連動するようにする。【００１８】  中央部２本の３段伸縮柵パイプ２０については、径Φ１０ｍｍパイプの上端は摺動扉枠１３に、径Φ１６ｍｍパイプの下端は下部水平台枠１１に連結固定することで摺動扉枠１３がどの高さにあっても３段伸縮柵パイプ２０は連結した状態になる。【００１９】  図４は摺動扉枠体に組込む出没突起連結棒３１と出没突起操作プレート２２及び重垂ロック弁２３の詳細図である。安全ゲートの上部水平枠１０の中央１／３を占める摺動扉枠１３は内部に出没突起操作構造を内臓する扉枠の上半分枠体３６と、６本のパイプ柵を固定したり、貫通誘導する扉枠の下半分枠体３７の合体で摺動扉枠１３を構成し、その上下摺動の錠前構造を示したものである。【００２０】  図４の（イ）図は摺動扉枠の上半分枠体３６に組み込まれた出没突起連結棒３１がスプリング３０によって出没突起２６が突出する方向に付勢され、出没突起２６の反対側は出没突起操作プレート２２に固定されている側面図である。【００２１】  図４の（ロ）図は摺動扉枠の上半分枠体３６に出没突起操作構造を内部に組込んだ後に、それを覆って合体させる下半分の枠体を示したものである。出没突起操作プレート２２と重垂ロック弁２３部分を貫通させる枠体の箱抜き部３８を中央に有し、２本の３段伸縮柵パイプ２０の上端は箱抜き部の両側に固定、その他の４本の柵パイプ２１を貫通させる摺動ガイド管２４を左右に２個ずつ取り付け、扉枠の上下各半分枠体を合体させて、摺動扉枠１３とする。【００２２】  図４の（ハ）図は出没突起操作構造を内部に組込んだ扉枠の上半分枠体３６と柵パイプ２１や摺動ガイド管２４を固定した扉枠の下半分枠体３７を合体した摺動扉枠１３の側面図である。中央部に重垂ロック弁２３と２枚の出没突起操作プレート２２が位置しているが、その操作プレートには縦溝スリット４０を切り込んで、重垂ロック弁２３の袖状突出部３４がその縦溝��リット４０に袖を通して架けた形となって、その状態を脱落防止ピン３３が保持する。重垂ロック弁２３が自重で垂れ下がっている時は、開錠がロックされた状態で出没突起操作プレート２２は操作できない。【００２３】  出没突起操作プレート２２に切り込む縦溝スリット４０は、重垂ロック弁２３を押し上げた状態ならすり抜け出来る大きさに切り込むことで、出没突起操作プレート２２を挟み付ける操作をした時、重垂ロック弁２３はその縦溝スリット４０を出没突起２６が没する範囲まですり抜けるが、脱落防止ピン３３が過剰すり抜けを防止する。【００２４】  図５は出没突起操作プレート２２と重垂ロック弁２３の連携態様詳細図を示したもので、出没突起操作プレート２２は出没突起連結棒３１と固定されているので、スプリング３０の付勢で連結棒とともに２枚の操作プレートは出没突起２６が突出する方向に常に引っ張られている状態にあり、重垂ロック弁２３も自然に自重で出没突起操作プレート２２の間に垂れ下がる状態になる。【００２５】  図５の（イ）図は安全ゲートの摺動扉枠１３から出没突起２６が左右に突出し、上部水平枠１０と噛み込みロックされている状態である。この状態の時は重垂ロック弁２３も操作プレートの間に自重で垂れ下がって出没突起操作プレート２２はロック弁で挟み付け操作を阻止されていることになる。【００２６】  図５の（ロ）図は安全ゲートの摺動扉枠１３の中に出没突起２６が左右ともに没し、上部水平枠１０から噛み込みが外れた状態である。この状態にするのは自重で垂れ下がっていた重垂ロック弁２３を指で操作プレートに切り込んである縦溝スリット４０に沿って押し上げながら、出没突起操作プレート２２を挟み付け操作することで出没突起２６も没し、摺動扉枠１３の降下摺動も可能となる。この操作は成人なら片手で可能であり、摺動扉枠１３を引き上げて閉じる時も重垂ロック弁が下がったままでは出没突起２６が没しないので、指で縦溝スリット４０に沿って押し上げた状態にしながら、上部水平枠１０に出没突起を噛み込ませる。【００２７】  図６は本発明の要部である摺動扉枠１３のロック構造と摺動ガイド管２４の取り付け状況を示す斜視図である。（イ）は出没突起操作プレート２２の縦溝スリット４０に重垂ロック弁２３が袖状突出部３４を架けて垂れ下がって状態である。重垂ロック弁２３は指で簡単に押し上げることが可能で、操作プレートの縦溝スリット４０の間を重垂ロック弁がすり抜け得る状態となり、挟み付け操作を可能にする事が出来る。【００２８】  図６の（ロ）図は摺動扉枠の下半分枠体３７に摺動ガイド管２４を取り付けた状況で、３段伸縮柵パイプ２０以外の４本の柵パイプ２１はこの摺動ガイド管２４を貫通させることで、摺動扉枠１３の上下摺動時の捩れ防止と、対向壁への係止によって支柱枠１２にかかる反力を支える。【００２９】  図７は安全ゲート枠体を対向壁間に係止させるアジャストボルト１６と突っ張り圧接板１４の取付け部分図である。安全ゲート枠体は摺動扉の開閉状態に拘わらず、対向壁間にしっかり係止される必要があり、両側の支柱縦枠１２に各々２本のアジャストボルト１６を板付ナット１８を介して貫通付設し、ボルトの先にはボルトの回転に連動しないアジャストボルト自在金具３５でノンスリップゴムシート１５を張り付けた突っ張り圧接板１４を取り付け、それをアジャストボルト１６の伸び出しにより、突っ張り圧接板を対向壁に密着させて枠体の係止を安定させる。【００３０】  突っ張り圧接板１４を対向壁に密着させるアジャストボルト１６の伸縮は、調節取手１７の回転によって最大で８０ｍｍ程度まで伸ばせる伸縮余長を有することを標準とする。日本家屋の一般的な階段幅やドアー枠幅を勘案して安全ゲートの横幅は両側の圧接板厚を加えて７６０ｍｍを最小標準とするので、設置場所として最小幅は７６０ｍｍ，最大幅は９２０ｍｍまで対向壁間隔への対応を可能とする。【００３１】  安全ゲートの枠体は木製であるなら強度面を考慮し、４５ｍｍ幅、２３ｍｍ厚程度の木材を標準とし、枠体の四隅にはＬ字形補強金具２７やひかえ補強金具２５を付設して剛性を高める。突っ張り圧接板１４の形状も幅は４０ｍｍ、長さ５００ｍｍ、厚さは２０ｍｍ程度を強度面からも標準とし、その圧接面側には２ｍｍ厚程度のノンスリップゴムシート１５を張り付け対向壁への圧接係止効果を高める。
【産業上の利用可能性】
【００３２】  本発明品は、育児用品の一つとして、幼児を抱える一般家庭内で親が目を離した隙に幼児に思わぬ怪我をさせないため、危険区域を事前に隔離する手段として利用価値が高いと考えている。特に本発明は従来の開発品に比べ、極めて簡便な構造でありながら、幼児以外の大人や子供のゲート通過にも煩わしさがなく移動設置も容易で、通過方法にも容易に跨ぎ越すことも出来るなど多様性があり、幼児を主対象とする保育施設などで利用される機会も多いと考える。
【図面の簡単な説明】
【００３３】
【図１】  図１は本発明品に係る幼児用安全ガードの全体を示した概念的な斜視図である。
【図２】  図２は本発明品に係る幼児用安全ガードの要部である摺動扉枠と柵パイプの摺動態様を示す部分図である。
【図３】  図２に示した摺動扉枠の中央部の２本の３段伸縮柵パイプの構造を示す部分図である。
【図４】  図２に示した摺動扉枠の分解図であり  （イ）図は摺動扉枠の上半分枠体内部に出没突起操作構造を組込み、その連結棒が出没突起操作プレートに連結している状況図である。（ロ）図は（イ）図の扉枠の上半分枠体に操作構造を組込んだ後、下からそれを覆う扉枠の下半分枠体の形状である。（ハ）図は（イ）と（ロ）の扉枠の各半分枠体を上下合体させ出没突起操作プレートと重垂ロック弁の一部を中央箱抜き部に引き出した側面図である。
【図５】  図５は本発明品の出没突起操作プレートと重垂ロック弁の連携態様図であり、（イ）図は重垂ロック弁が下がって、操作プレートを操作して出没突起を没することが出来ず、上部水平枠が一体となっている状況。（ロ）図は重垂ロック弁を指で押し上げると、操作プレートの縦溝スリットの間をロック弁がすり抜け可能となり、操作プレートを挟み付け出来る状態となる状況図である。
【図６】  図６は本発明品の要部を示す部分斜視図であり、（イ）図は縦溝スリットを刻み込んだ出没突起操作プレートと重垂ロック弁がスリットに袖状突出部を架けて上下移動態様を示す斜視図である。（ロ）図は摺動扉枠の下半分枠体に摺動ガイド管を固定リングで上下から固定し、柵パイプを貫通させる部分斜視図。
【図７】  図７は本発明品の要部を示す部分図であり、幼児用安全ゲートの枠体を対向壁間に係止させる際、支柱縦枠にアジャストボルトと突っ張り圧接板を取り付けた状況図である。
【符号の説明】
【００３４】    １０・・・上部水平枠
１１・・・下部水平台枠
１２・・・支柱縦枠
１３・・・摺動扉枠
１４・・・突っ張り圧接板
１５・・・ノンスリップゴムシート
１６・・・アジャストボルト
１７・・・調節取手
１８・・・板付ナット
２０・・・３段伸縮柵パイプ
２１・・・柵パイプ
２２・・・出没突起操作プレート
２３・・・重垂ロック弁
２４・・・摺動ガイド管
２５・・・ひかえ補強金具
２６・・・出没突起
２７・・・Ｌ字形補強金具
３０・・・スプリング
３１・・・出没突起連結棒
３２・・・パイプ連結鎖
３３・・・脱落防止ピン
３４・・・ロック弁袖状突出部
３５・・・アジャストボルト自在金具
３６・・・扉枠の上半分枠体
３７・・・扉枠の下半分枠体
３８・・・枠体の箱抜き部
４０・・・縦溝スリット
４１・・・ガイド管固定リング
【図１】
2008142484.tif 000003
【図２】
2008142484.tif 000004
【図３】
2008142484.tif 000005
【図４】
2008142484.tif 000006
【図５】
2008142484.tif 000007
【図６】
2008142484.tif 000008
【図７】
2008142484.tif 000009